(57)【特許請求の範囲】
【請求項１】
複数の個別開閉器が並設され、前記各個別開閉器の一端側が分岐線で並列接続されている多回路開閉器ユニットを備え、該多回路開閉器ユニットがケース内に収容されて、各個別開閉器の他端に地下ケーブルが接続される地上設置形多回路開閉器において、
前記ケース内で前記分岐線に回線増設用接続部が設けられ、
回線増設時には、前記ケース内に他の多回路開閉器ユニットを収容して、該他の多回路開閉器ユニットの分岐線を前記回線増設用接続部に接続し得るように構成されていることを特徴とする地上設置形多回路開閉器。
【発明の詳細な説明】
【０００１】
【発明の属する技術分野】
本発明は、地上設置形多回路開閉器に関するものである。
【０００２】
【従来の技術】
配電線を地中化する場合、地上にケースを設置し、その内部に多回路開閉器ユニットを収容し、地下から立ちあげた各地下ケーブルをケース内で多回路開閉器ユニットの各個別開閉器に接続していた。
【０００３】
従来は、地中化の工事は、ほとんど都会で行われていた。その場合、回線数が多いため、図３に示すように、多回路開閉器ユニット１としては６個の個別開閉器２ａ〜２ｆを並設し、これら個別開閉器２ａ〜２ｆの一端側を分岐線３で並列接続していた。この場合、例えば個別開閉器２ａの他端側には幹線地下ケーブル４を接続し、個別開閉器２ｂ，２ｃの他端側には需要家用地下ケーブル５をそれぞれ接続し、需要家のない残りの個別開閉器２ｄ，２ｅの他端側は空き回路とし、末端の個別開閉器２ｆの他端側には幹線地下ケーブル６を接続していた。このような多回路開閉器ユニット１は、図示しないケース内に収容されている。また、多回路開閉器ユニット１としては、絶縁ガス（ＳＦ6 ガス）を充填した容器内に個別開閉器２ａ〜２ｆを収納したガス開閉器が用いられている。容器内に収容する個別開閉器２ａ〜２ｆとしては、真空開閉器あるいは気中開閉器を用いることもできる。この場合、容器内には絶縁ガスを充填する必要はない。
【０００４】
ところが、最近では、地方都市でも地中化工事が行われるようになっている。地方都市では、それ程回線数を必要としないため、図４に示すように、多回路開閉器ユニット１としては４個の個別開閉器２ａ〜２ｄを並設すれば充分であった。
【０００５】
このような地方都市における地上設置形多回路開閉器でも、将来は回線数の増加が見込まれるため、増設可能にしておくことが望ましい。
【０００６】
従来、地上設置形多回路開閉器の増設は、図４〜図６に示すようにして行っていた。
【０００７】
図４に示す地上設置形多回路開閉器での増設は、例えば４個の個別開閉器２ａ〜２ｄを並設してその一端側を分岐線３で並列接続した多回路開閉器ユニット１に、４個の個別開閉器２ｅ〜２ｈを並設した別の多回路開閉器ユニット７と地中化に必要な機材とを新たに増設し、これら個別開閉器２ｅ〜２ｈの一端側を分岐線８で並列接続し、既設の多回路開閉器ユニット１の個別開閉器２ｄと別の多回路開閉器ユニット７の個別開閉器２ｅとの各他端側をケーブル９で接続し、末端の個別開閉器２ｈの他端側には幹線地下ケーブル６を接続し、別の多回路開閉器ユニット７の個別開閉器２ｆの他端側には新需要家用地下ケーブル５´を接続し、需要家のない残りの個別開閉器２ｇの他端側は空き回路としていた。
【０００８】
図５（Ａ）（Ｂ）に示す地上設置形多回路開閉器での増設は、図５（Ａ）に示すように例えば４個の個別開閉器２ａ〜２ｄを並設してその一端側を分岐線３で並列接続した既設の多回路開閉器ユニット１を撤去して、その代わりに例えば６個の個別開閉器２ａ〜２ｆを並設してその一端側を分岐線３で並列接続した多回路開閉器ユニット１´を新設し、個別開閉器２ａの他端側には幹線地下ケーブル４を接続し、個別開閉器２ｂ，２ｃの他端側には需要家用地下ケーブル５をそれぞれ接続し、個別開閉器２ｄの他端側には新需要家用地下ケーブル５´を接続し、需要家のない残りの個別開閉器２ｅの他端側は空き回路とし、末端の個別開閉器２ｆの他端側には幹線地下ケーブル６を接続していた。
【０００９】
図６に示す地上設置形多回路開閉器での増設は、例えば４個の個別開閉器２ａ〜２ｄを並設してその一端側を分岐線３で並列接続した既設の多回路開閉器ユニット１に、１個の個別開閉器２ｅを並設し、この個別開閉器２ｅの一端側を分岐線３に接続し、この個別開閉器２ｅの他端側に新需要家用地下ケーブル５´を接続していた。
【００１０】
【発明が解決しようとする課題】
しかしながら、図４〜図６に示す増設方法では、増設の設備費用が高くなるだけでなく、工事に手間がかかるという問題点があった。
【００１１】
本発明の目的は、需要家の数に合わせて、低コストで、手間をかけずに増設できる地上設置形多回路開閉器を提供することにある。
【００１２】
【課題を解決するための手段】
本発明は、複数の個別開閉器が並設され、各個別開閉器の一端側が分岐線で並列接続されている多回路開閉器ユニットを備え、該多回路開閉器ユニットがケース内に収容されて、各個別開閉器の他端に地下ケーブルが接続される地上設置形多回路開閉器を改良するものである。
【００１３】
本発明に係る地上設置形多回路開閉器においては、ケース内で分岐線に回線増設用接続部が設けられていて、回線増設時に、ケース内に他の多回路開閉器ユニットを収容して、該他の多回路開閉器ユニットの分岐線を回線増設用接続部に接続し得るように構成されている。
【００１４】
上記のように、ケース内で分岐線に回線増設用接続部を設けて、回線増設時に他の多回路開閉器ユニットをケース内に収容して該他の多回路開閉器ユニットの分岐線を回線増設用接続部に接続し得るように構成しておくと、回線増設時に他の多回路開閉器ユニットの分岐線をこの接続部に接続することにより、需要家の数に合わせて、低コストで、手間をかけずに増設作業を行うことができる。
【００１５】
【発明の実施の形態】
図１及び図２は本発明に係る地上設置形多回路開閉器における実施の形態の一例を示したもので、図１はケースの設置前の回路図、図２はケースの設置後の回路図である。
【００１６】
本例の地上設置形多回路開閉器においては、例えば４個の個別開閉器２ａ〜２ｄを並設してその一端側を分岐線３で並列接続した既設の多回路開閉器ユニット１の該分岐線３の端部に、予め接続部１０が設けられている。増設時には、この接続部１０に、例えば２個の個別開閉器２ｅ，２ｆを並設してその一端側を分岐線８で並列接続した別の多回路開閉器ユニット７の該分岐線８が接続されている。これら既設の多回路開閉器ユニット１と別の多回路開閉器ユニット７は、いずれも既設のケース１１内に収容される。
【００１７】
このように既設の多回路開閉器ユニット１の分岐線３に接続部１０を設けておくと、増設時には別の多回路開閉器ユニット７の分岐線８をこの接続部１０に接続することにより、需要家の数に合わせて、低コストで、手間をかけずに増設作業を行うことができる。
【００１８】
【発明の効果】
本発明に係る地上設置形多回路開閉器においては、ケース内で分岐線に回線増設用接続部を設けて、回線増設時に、他の多回路開閉器ユニットをケース内に収容して該他の多回路開閉器ユニットの分岐線を回線増設用接続部に接続し得るように構成したので、回線増設時に他の多回路開閉器ユニットの分岐線をこの接続部に接続することにより、需要家の数に合わせて、低コストで、手間をかけずに増設作業を行うことができる。
【図面の簡単な説明】
【図１】  本発明に係る地上設置形多回路開閉器における実施の形態の一例で、ケースを設置してない状態を示す回路図である。
【図２】  本発明に係る地上設置形多回路開閉器における実施の形態の一例で、ケースを設置している状態を示す回路図である。
【図３】  従来の地上設置形多回路開閉器を示す回路図である。
【図４】  従来の地上設置形多回路開閉器で多回路開閉器ユニットを増設した第１例を示す回路図である。
【図５】  （Ａ）（Ｂ）は従来の地上設置形多回路開閉器で多回路開閉器ユニットを増設する過程の第２例を示す回路図である。
【図６】  従来の地上設置形多回路開閉器で多回路開閉器ユニットを増設した第３例を示す回路図である。
【符号の説明】
１  多回路開閉器ユニット
２ａ〜２ｈ  個別開閉器
３  分岐線
４  幹線地下ケーブル
５  需要家用地下ケーブル
５´  新需要家用地下ケーブル
６  幹線地下ケーブル
７  別の多回路開閉器ユニット
８  分岐線
９  ケーブル
１０  接続部
１１  ケース
【図１】
0004395214.tif 000002
【図２】
0004395214.tif 000003
【図３】
0004395214.tif 000004
【図４】
0004395214.tif 000005
【図５】
0004395214.tif 000006
【図６】
0004395214.tif 000007